【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
動画データを生成する第１の生成手段と、
静止画データを生成する第２の生成手段と、
前記動画データ及び前記静止画データを記録媒体に記録する記録手段と、
動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、
表示手段とを有し、
前記制御手段は、前記記録媒体に記録された動画データの削除または編集の指示に応じて、前記削除または編集の対象となる動画データに関連づけられた静止画データに関する情報を表示装置に表示させるよう前記表示手段を制御することを特徴とする画像処理装置。
【請求項２】
動画データを生成する第１の生成手段と、
静止画データを生成する第２の生成手段と、
前記動画データ及び前記静止画データを記録媒体に記録する記録手段と、
動画データの記録終了の指示に応じて、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御する制御手段と、
表示手段とを有し、
前記制御手段は、前記記録媒体に記録された動画データの削除または編集の指示に応じて、前記削除または編集の対象となる動画データに関連づけられた静止画データに関する情報を表示装置に表示させるよう前記表示手段を制御することを特徴とする画像処理装置。
【請求項３】
前記制御手段は、動画データの記録終了の指示が入力されると、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御することを特徴とする請求項１記載の画像処理装置。
【請求項４】
前記制御手段は、前記記録媒体に記録された動画データの削除または編集の指示に応じて、前記削除または編集の対象となる動画データに関連づけられた静止画データの示す画像を前記表示装置に表示するよう前記表示手段を制御することを特徴とする請求項１から３のいずれか１項記載の画像処理装置。
【請求項５】
前記制御手段は、前記動画データの記録開始または記録終了の指示に応じて生成された静止画データを上書き可能なデータとして前記記録媒体に記録するよう前記記録手段を制御することを特徴とする請求項１から４のいずれか１項記載の画像処理装置。
【請求項６】
前記制御手段は、前記記録媒体に記録された動画データの削除または編集の指示に応じて、前記削除または編集の対象となる動画データに関連づけられた静止画データから削除対象としない静止画データを選択する為の画像を表示するよう前記表示手段を制御することを特徴とする請求項１から５のいずれか１項記載の画像処理装置。
【請求項７】
前記制御手段は、前記削除対象とされた静止画データは、当該静止画データに関連づけられた動画データが削除されるときに前記記録媒体から削除するよう前記記録手段を制御することを特徴とする請求項６記載の画像処理装置。
【請求項８】
前記制御手段は、静止画記録の指示に応じて、静止画データを生成するよう前記第２の生成手段を制御し、前記生成された静止画データを前記記録媒体に記録するよう前記記録手段を制御し、
前記制御手段は、前記静止画データの記録指示に応じて記録された複数の静止画データを示す情報を一覧表示するよう前記表示手段を制御し、
前記制御手段は、前記前記静止画データの記録指示に応じて記録された複数の静止画データを示す情報を一覧表示しているときに、前記動画データの記録開始または記録終了の指示に応じて記録された静止画データを示す情報を表示させないよう前記表示手段を制御することを特徴とする請求項１から７のいずれか１項記載の画像処理装置。
【請求項９】
前記制御手段は、前記動画データの記録開始または記録終了の指示に応じて生成された静止画データを隠しファイル属性として前記記録媒体に記録するよう前記記録手段を制御することを特徴とする請求項１から８のいずれか１項記載の画像処理装置。
【請求項１０】
前記制御手段は、電源オフの指示が応じて、動画データの生成を停止するよう前記第１の生成手段を制御するが、静止画データの生成をするよう前記第２の生成手段を制御しないことを特徴とする請求項２から９のいずれか１項記載の画像処理装置。
【請求項１１】
前記制御手段は、前記記録媒体に記録されている動画データが示す動画を表示すると共に、前記表示された動画データに関連づけられた静止画データの静止画を前記動画の表示の前または後に表示するよう前記表示手段を制御することを特徴とする請求項１から１０のいずれか１項記載の画像処理装置。
【請求項１２】
前記制御手段は、前記動画データの記録終了の指示に応じて、前記生成が停止された動画データに関連づけて記録されている静止画に関する情報を前記表示装置に表示するよう前記表示手段を制御することを特徴とする請求項２から１１のいずれか１項記載の画像処理装置。
【請求項１３】
動画データを生成する第１の生成手段と、静止画データを生成する第２の生成手段と、前記動画データ及び前記静止画データを記録媒体に記録する記録手段と、表示手段とを有する画像処理装置の制御方法であって、
動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御し、
前記記録媒体に記録された動画データの削除または編集の指示に応じて、前記削除または編集の対象となる動画データに関連づけられた静止画データに関する情報を表示装置に表示させるよう前記表示手段を制御することを特徴とする画像処理装置の制御方法。
【請求項１４】
動画データを生成する第１の生成手段と、静止画データを生成する第２の生成手段と、前記動画データ及び前記静止画データを記録媒体に記録する記録手段と、表示手段とを有する画像処理装置の制御方法であって、
動画データの記録終了の指示に応じて、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御し、
前記記録媒体に記録された動画データの削除または編集の指示に応じて、前記削除または編集の対象となる動画データに関連づけられた静止画データに関する情報を表示装置に表示させるよう前記表示手段を制御することを特徴とする画像処理装置の制御方法。
【請求項１５】
動画データを生成する第１の生成手段と、
静止画データを生成する第２の生成手段と、
前記動画データ及び前記静止画データを記録媒体に記録する記録手段と、
動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、
表示手段とを有し、
前記制御手段は、前記記録媒体に記録された動画データの削除または編集の指示に応じて、前記削除または編集の対象となる動画データに関連づけられた静止画データに関する情報を表示装置に表示させるよう前記表示手段を制御することを特徴とする画像処理システム。
【請求項１６】
動画データを生成する第１の生成手段と、
静止画データを生成する第２の生成手段と、
前記動画データ及び前記静止画データを記録媒体に記録する記録手段と、
動画データの記録終了の指示に応じて、動画データの生成を停止するよう前記第１の生成手段を制御すると共に、静止画データを生成するよう前記第２の生成手段を制御し、前記生成が停止された動画データと前記生成された静止画データとを関連づけて前記記録媒体に記録するよう前記記録手段を制御する制御手段と、
表示手段とを有し、
前記制御手段は、前記記録媒体に記録された動画データの削除または編集の指示に応じて、前記削除または編集の対象となる動画データに関連づけられた静止画データに関する情報を表示装置に表示させるよう前記表示手段を制御することを特徴とする画像処理システム。
【手続補正２】
【補正対象書類名】明細書
【補正対象項目名】発明の名称
【補正方法】変更
【補正の内容】
【発明の名称】画像処理装置、画像処理装置の制御方法、画像処理システム
【手続補正３】
【補正対象書類名】明細書
【補正対象項目名】０００５
【補正方法】変更
【補正の内容】
【０００５】
このような課題を解決するために、本発明の画像処理装置は、動画データを生成する第１の生成手段と、静止画データを生成する第２の生成手段と、前記動画データ及び前記静止画データを記録媒体に記録する記録手段と、動画データの記録開始の指示に応じて、動画データを生成するよう前記第１の生成手段を制御すると共に、静止画データを生成するよう前記第２の生成手段を制御し、前記生成された動画データと静止画データとを関連づけて前記記録媒体に記録するよう前記記録手段を制御する制御手段と、表示手段とを有し、前記制御手段は、前記記録媒体に記録された動画データの削除または編集の指示に応じて、前記削除または編集の対象となる動画データに関連づけられた静止画データに関する情報を表示装置に表示させるよう前記表示手段を制御することを特徴とする。